(57)【特許請求の範囲】
【請求項１】
被測定信号の被測定量について発生した事象を示す情報を表示部に表示させる処理を実行する処理部を備えた表示装置であって、
前記処理部は、日別の領域を時系列で配列したカレンダー画像を前記表示部に表示させ、かつ前記事象の種類を識別可能な標識を前記カレンダー画像における当該事象が発生した日に対応する前記領域内に前記情報として表示させると共に、前記領域における予め決められた方向を時間軸として前記事象が発生した時刻に対応する当該時間軸上の位置に前記標識を表示させる表示装置。
【請求項２】
被測定信号の被測定量について発生した事象を示す情報を表示部に表示させる処理を実行する処理部を備えた表示装置であって、
前記処理部は、日別の領域を時系列で配列したカレンダー画像を前記表示部に表示させ、かつ前記事象の種類を識別可能な標識を前記カレンダー画像における当該事象が発生した日に対応する前記領域内に前記情報として表示させると共に、同種類の前記事象が同日に予め決められた回数以上発生したときに、当該各事象に個別に対応する前記各標識に代えて、当該各事象の種類、および当該事象の発生回数を特定可能な１つの標識を表示させる表示装置。
【請求項３】
被測定信号の被測定量について発生した事象を示す情報を表示部に表示させる処理を実行する処理部を備えた表示装置であって、
前記処理部は、日別の領域を時系列で配列したカレンダー画像を前記表示部に表示させ、かつ前記事象の種類を識別可能な標識を前記カレンダー画像における当該事象が発生した日に対応する前記領域内に前記情報として表示させると共に、前記標識を表示している状態において当該標識を選択する操作がされたときに、当該標識についての前記事象が発生した時刻を含む予め決められた時間分の前記被測定信号の波形を前記表示部に表示させる表示装置。
【請求項４】
前記処理部は、前記領域における予め決められた方向を時間軸として前記事象が発生した時刻に対応する当該時間軸上の位置に前記標識を表示させる請求項２または３記載の表示装置。
【請求項５】
前記処理部は、前記領域における前記時間軸と直交する方向において前記事象の種類毎に表示位置を異ならせて前記標識を表示させる請求項１または４記載の表示装置。
【請求項６】
請求項１から５のいずれかに記載の表示装置と、前記被測定信号の被測定量を測定する測定部と、前記事象の発生を検出する検出部と、当該検出部によって検出された前記事象を記憶する記憶部とを備え、
前記処理部は、当該記憶部に記憶された前記事象に基づいて前記処理を実行する測定装置。
【請求項７】
被測定信号の被測定量について発生した事象を示す情報を表示部に表示させる表示方法であって、
日別の領域を時系列で配列したカレンダー画像を前記表示部に表示させ、かつ前記事象の種類を識別可能な標識を前記カレンダー画像における当該事象が発生した日に対応する前記領域内に前記情報として表示させると共に、前記領域における予め決められた方向を時間軸として前記事象が発生した時刻に対応する当該時間軸上の位置に前記標識を表示させる表示方法。
【請求項８】
被測定信号の被測定量について発生した事象を示す情報を表示部に表示させる表示方法であって、
日別の領域を時系列で配列したカレンダー画像を前記表示部に表示させ、かつ前記事象の種類を識別可能な標識を前記カレンダー画像における当該事象が発生した日に対応する前記領域内に前記情報として表示させると共に、同種類の前記事象が同日に予め決められた回数以上発生したときに、当該各事象に個別に対応する前記各標識に代えて、当該各事象の種類、および当該事象の発生回数を特定可能な１つの標識を表示させる表示方法。
【請求項９】
被測定信号の被測定量について発生した事象を示す情報を表示部に表示させる表示方法であって、
日別の領域を時系列で配列したカレンダー画像を前記表示部に表示させ、かつ前記事象の種類を識別可能な標識を前記カレンダー画像における当該事象が発生した日に対応する前記領域内に前記情報として表示させると共に、前記標識を表示している状態において当該標識を選択する操作がされたときに、当該標識についての前記事象が発生した時刻を含む予め決められた時間分の前記被測定信号の波形を前記表示部に表示させる表示方法。
【請求項１０】
被測定信号の被測定量について発生した事象を示す情報を表示部に表示させる処理を処理部に実行させるプログラムであって、
日別の領域を時系列で配列したカレンダー画像を前記表示部に表示させ、かつ前記事象の種類を識別可能な標識を前記カレンダー画像における当該事象が発生した日に対応する前記領域内に前記情報として表示させると共に、前記領域における予め決められた方向を時間軸として前記事象が発生した時刻に対応する当該時間軸上の位置に前記標識を表示させる処理を前記処理部に実行させるプログラム。
【請求項１１】
被測定信号の被測定量について発生した事象を示す情報を表示部に表示させる処理を処理部に実行させるプログラムであって、
日別の領域を時系列で配列したカレンダー画像を前記表示部に表示させ、かつ前記事象の種類を識別可能な標識を前記カレンダー画像における当該事象が発生した日に対応する前記領域内に前記情報として表示させると共に、同種類の前記事象が同日に予め決められた回数以上発生したときに、当該各事象に個別に対応する前記各標識に代えて、当該各事象の種類、および当該事象の発生回数を特定可能な１つの標識を表示させる処理を前記処理部に実行させるプログラム。
【請求項１２】
被測定信号の被測定量について発生した事象を示す情報を表示部に表示させる処理を処理部に実行させるプログラムであって、
日別の領域を時系列で配列したカレンダー画像を前記表示部に表示させ、かつ前記事象の種類を識別可能な標識を前記カレンダー画像における当該事象が発生した日に対応する前記領域内に前記情報として表示させると共に、前記標識を表示している状態において当該標識を選択する操作がされたときに、当該標識についての前記事象が発生した時刻を含む予め決められた時間分の前記被測定信号の波形を前記表示部に表示させる処理を前記処理部に実行させるプログラム。
【発明の詳細な説明】
【技術分野】
【０００１】
本発明は、被測定信号の被測定量について発生した事象を示す情報を表示部に表示させる表示装置、測定装置、表示方法およびプログラムに関するものである。
【背景技術】
【０００２】
この種の装置として、下記特許文献１に開示されたデータ収集装置が知られている。このデータ収集装置は、収集した測定データに関する情報を表示する装置であって、カレンダー表示部とファイル統合表示部とで構成された表示画面を表示可能に構成されている。カレンダー表示部には、測定データのサンプリング期間が線分で表示され、アラーム（事象）が発生したときには、その発生時刻に対応する線分上の位置にアラームマークが表示される。ファイル統合表示部には、ファイル統合情報が表示される。この場合、アラームの発生時刻がファイル統合情報として表示される。このような表示がされることで、このデータ収集装置では、いつアラームが発生したかを知ることが可能となっている。
【先行技術文献】
【特許文献】
【０００３】
【特許文献１】特開２００８−２９８５７８号公報（第５−６頁、第１，３図）
【発明の概要】
【発明が解決しようとする課題】
【０００４】
ところが、上記した従来のデータ収集装置には、改善すべき以下の課題がある。すなわち、上記のデータ収集装置では、アラームが発生したことを示すアラームマークが、カレンダー表示部におけるサンプリング期間を示す線分上に表示され、アラームの発生時刻がファイル統合表示部に表示される。しかしながら、アラーム（ディップ、スウェルおよび瞬停等の事象）の種類までは表示されないため、アラームの種類を知るには、表示を波形表示に切り替えて波形から種類を判断する必要がある。この場合、ファイル統合表示部にアラームの種類を表示させる構成も考えられる。しかしながら、この構成を採用した場合であっても、アラームマークの表示位置とファイル統合表示部に表示されるアラームの種類の双方を見ないと、どの日にどのような種類のアラームが発生したのかを一目で（直感的に）確認することは困難である。また、この構成を採用した場合であっても、１日に数多くのアラームが発生していたときには、アラームの種類を一目で確認することはさらに困難となる。このように、従来のデータ収集装置では、アラームの発生日や種類を容易に確認することが困難となっており、この点の改善が望まれている。
【０００５】
本発明は、かかる改善すべき課題に鑑みてなされたものであり、被測定信号に発生した事象の発生日および種類を容易に確認し得る表示装置、測定装置、表示方法およびプログラムを提供することを主目的とする。
【課題を解決するための手段】
【０００６】
上記目的を達成すべく請求項１記載の表示装置は、被測定信号の被測定量について発生した事象を示す情報を表示部に表示させる処理を実行する処理部を備えた表示装置であって、前記処理部は、日別の領域を時系列で配列したカレンダー画像を前記表示部に表示させ、かつ前記事象の種類を識別可能な標識を前記カレンダー画像における当該事象が発生した日に対応する前記領域内に前記情報として表示させると共に、前記領域における予め決められた方向を時間軸として前記事象が発生した時刻に対応する当該時間軸上の位置に前記標識を表示させる。
また、請求項２記載の表示装置は、被測定信号の被測定量について発生した事象を示す情報を表示部に表示させる処理を実行する処理部を備えた表示装置であって、前記処理部は、日別の領域を時系列で配列したカレンダー画像を前記表示部に表示させ、かつ前記事象の種類を識別可能な標識を前記カレンダー画像における当該事象が発生した日に対応する前記領域内に前記情報として表示させると共に、同種類の前記事象が同日に予め決められた回数以上発生したときに、当該各事象に個別に対応する前記各標識に代えて、当該各事象の種類、および当該事象の発生回数を特定可能な１つの標識を表示させる。
また、請求項３記載の表示装置は、被測定信号の被測定量について発生した事象を示す情報を表示部に表示させる処理を実行する処理部を備えた表示装置であって、前記処理部は、日別の領域を時系列で配列したカレンダー画像を前記表示部に表示させ、かつ前記事象の種類を識別可能な標識を前記カレンダー画像における当該事象が発生した日に対応する前記領域内に前記情報として表示させると共に、前記標識を表示している状態において当該標識を選択する操作がされたときに、当該標識についての前記事象が発生した時刻を含む予め決められた時間分の前記被測定信号の波形を前記表示部に表示させる。
【０００７】
また、請求項４記載の表示装置は、請求項２または３記載の表示装置において、前記処理部は、前記領域における予め決められた方向を時間軸として前記事象が発生した時刻に対応する当該時間軸上の位置に前記標識を表示させる。
【０００８】
また、請求項５記載の表示装置は、請求項１または４記載の表示装置において、前記処理部は、前記領域における前記時間軸と直交する方向において前記事象の種類毎に表示位置を異ならせて前記標識を表示させる。
【００１１】
また、請求項６記載の測定装置は、請求項１から５のいずれかに記載の表示装置と、前記被測定信号の被測定量を測定する測定部と、前記事象の発生を検出する検出部と、当該検出部によって検出された前記事象を記憶する記憶部とを備え、前記処理部は、当該記憶部に記憶された前記事象に基づいて前記処理を実行する。
【００１２】
また、請求項７記載の表示方法は、被測定信号の被測定量について発生した事象を示す情報を表示部に表示させる表示方法であって、日別の領域を時系列で配列したカレンダー画像を前記表示部に表示させ、かつ前記事象の種類を識別可能な標識を前記カレンダー画像における当該事象が発生した日に対応する前記領域内に前記情報として表示させると共に、前記領域における予め決められた方向を時間軸として前記事象が発生した時刻に対応する当該時間軸上の位置に前記標識を表示させる。
また、請求項８記載の表示方法は、被測定信号の被測定量について発生した事象を示す情報を表示部に表示させる表示方法であって、日別の領域を時系列で配列したカレンダー画像を前記表示部に表示させ、かつ前記事象の種類を識別可能な標識を前記カレンダー画像における当該事象が発生した日に対応する前記領域内に前記情報として表示させると共に、同種類の前記事象が同日に予め決められた回数以上発生したときに、当該各事象に個別に対応する前記各標識に代えて、当該各事象の種類、および当該事象の発生回数を特定可能な１つの標識を表示させる。
また、請求項９記載の表示方法は、被測定信号の被測定量について発生した事象を示す情報を表示部に表示させる表示方法であって、日別の領域を時系列で配列したカレンダー画像を前記表示部に表示させ、かつ前記事象の種類を識別可能な標識を前記カレンダー画像における当該事象が発生した日に対応する前記領域内に前記情報として表示させると共に、前記標識を表示している状態において当該標識を選択する操作がされたときに、当該標識についての前記事象が発生した時刻を含む予め決められた時間分の前記被測定信号の波形を前記表示部に表示させる。
【００１３】
また、請求項１０記載のプログラムは、被測定信号の被測定量について発生した事象を示す情報を表示部に表示させる処理を処理部に実行させるプログラムであって、日別の領域を時系列で配列したカレンダー画像を前記表示部に表示させ、かつ前記事象の種類を識別可能な標識を前記カレンダー画像における当該事象が発生した日に対応する前記領域内に前記情報として表示させると共に、前記領域における予め決められた方向を時間軸として前記事象が発生した時刻に対応する当該時間軸上の位置に前記標識を表示させる処理を前記処理部に実行させる。
また、請求項１１記載のプログラムは、被測定信号の被測定量について発生した事象を示す情報を表示部に表示させる処理を処理部に実行させるプログラムであって、日別の領域を時系列で配列したカレンダー画像を前記表示部に表示させ、かつ前記事象の種類を識別可能な標識を前記カレンダー画像における当該事象が発生した日に対応する前記領域内に前記情報として表示させると共に、同種類の前記事象が同日に予め決められた回数以上発生したときに、当該各事象に個別に対応する前記各標識に代えて、当該各事象の種類、および当該事象の発生回数を特定可能な１つの標識を表示させる処理を前記処理部に実行させる。
また、請求項１２記載のプログラムは、被測定信号の被測定量について発生した事象を示す情報を表示部に表示させる処理を処理部に実行させるプログラムであって、日別の領域を時系列で配列したカレンダー画像を前記表示部に表示させ、かつ前記事象の種類を識別可能な標識を前記カレンダー画像における当該事象が発生した日に対応する前記領域内に前記情報として表示させると共に、前記標識を表示している状態において当該標識を選択する操作がされたときに、当該標識についての前記事象が発生した時刻を含む予め決められた時間分の前記被測定信号の波形を前記表示部に表示させる処理を前記処理部に実行させる。
【発明の効果】
【００１４】
請求項１から３記載の表示装置、請求項６記載の測定装置、請求項７から９記載の表示方法、および請求項１０から１２記載のプログラムによれば、事象の種類を識別可能な標識をカレンダー画像における事象が発生した日に対応する領域内に表示させることにより、どの日にどのような種類の事象が発生したのかを一目で容易に確認することができる。したがって、この表示装置、測定装置、表示方法およびプログラムによれば、例えば、事象の発生時期や発生頻度に基づく被測定信号の良否判定を容易に行うことができる。
【００１５】
請求項１および４記載の表示装置、請求項６記載の測定装置、請求項７記載の表示方法、および請求項１０記載のプログラムによれば、領域における予め決められた方向を時間軸として事象が発生した時刻に対応する時間軸上の位置に標識を表示させることにより、１日のうちのどの時間帯に事象が発生したかを容易に把握することができる。
【００１６】
また、請求項５記載の表示装置、および請求項６記載の測定装置によれば、領域における時間軸と直交する方向において事象の種類毎に表示位置を異ならせて標識を表示させることにより、上下方向の表示位置から事象の種類を直感的に把握することができる。また、このように表示位置を異ならせることにより、同日に複数種類の事象が発生したときに、そのことを直感的に把握することができる。
【００１７】
また、請求項２記載の表示装置、請求項６記載の測定装置、請求項８記載の表示方法、および請求項１１記載のプログラムによれば、同種類の事象が同日に予め決められた回数以上発生したときに、各事象に個別に対応する各標識に代えて、各事象の発生回数を特定可能な１つの標識を表示させることにより、１つの領域内に数多くの標識が表示されて事象の発生の時期や種類を判別するのが困難となる事態を確実に防止しつつ、事象の発生の種類や回数を確実に把握することができる。
【００１８】
また、請求項３記載の表示装置、請求項６記載の測定装置、請求項９記載の表示方法、および請求項１２記載のプログラムによれば、標識を表示している状態において標識を選択する操作がされたときに、選択された標識についての事象が発生した時刻を含む予め決められた時間分の被測定信号の波形を表示させることにより、事象が発生した時刻を含む発生前後における被測定信号の被測定量の変化を容易な操作で素早く確認することができるため、事象の詳細な内容を被測定量の変化から把握する必要があるときの利便性を十分に高めることができる。
【図面の簡単な説明】
【００１９】
【図１】測定装置１の構成を示す構成図である。
【図２】被測定信号Ｓｍの波形図である。
【図３】ディップが発生している被測定信号Ｓｍの波形図である。
【図４】スウェルが発生している被測定信号Ｓｍの波形図である。
【図５】瞬停が発生している被測定信号Ｓｍの波形図である。
【図６】測定結果画像Ｇｍの内容を示す第１の表示画面図である。
【図７】測定結果画像Ｇｍの内容を示す第２の表示画面図である。
【図８】測定結果画像Ｇｍの内容を示す第３の表示画面図である。
【図９】測定結果画像Ｇｍの内容を示す第４の表示画面図である。
【図１０】測定結果画像Ｇｍの内容を示す第５の表示画面図である。
【発明を実施するための形態】
【００２０】
以下、表示装置、測定装置、表示方法およびプログラムの実施の形態について、添付図面を参照して説明する。
【００２１】
最初に、図１に示す測定装置１の構成について説明する。測定装置１は、測定装置の一例であって、入力した被測定信号Ｓｍ（例えば、図２に示す交流電圧）の波形を示す波形データＤｗの記憶、被測定信号Ｓｍの被測定量（例えば、電圧値）の測定、被測定信号Ｓｍの被測定量についての予め決められた事象であるディップ、スウェルおよび瞬停等のイベント（事象の一例）の検出、および後述する表示方法による測定結果画像Ｇｍ（図６参照）の表示等の処理を実行可能に構成されている。具体的には、測定装置１は、図１に示すように、信号処理部１１、操作部１２、記憶部１３、表示部１４および処理部１５を備えて構成されている。この場合、表示部１４および処理部１５によって表示装置が構成される。
【００２２】
信号処理部１１は、処理部１５の制御に従い、図外のサンプリングクロック生成回路によって生成される予め決められたサンプリング周期のサンプリングクロックに同期して被測定信号Ｓｍをサンプリングして被測定信号Ｓｍの波形を示す波形データＤｗを出力する出力処理を実行する。
【００２３】
操作部１２は、各種のスイッチを備えて構成され、それらが操作されたときに操作信号を出力する。
【００２４】
記憶部１３は、処理部１５によって実行される各処理のプログラム（測定用プログラムや表示用プログラム（プログラム））を記憶する。また、記憶部１３は、処理部１５の制御に従い、信号処理部１１から出力された波形データＤｗを記憶する。また、記憶部１３は、処理部１５によって生成されるイベントデータＤｅ（イベントの種類や発生時刻等を示すデータ）を記憶する。
【００２５】
表示部１４は、処理部１５の制御に従い、図６に示す測定結果画像Ｇｍ等の各種の画像を表示する。
【００２６】
処理部１５は、操作部１２から出力される操作信号、および記憶部１３に記憶されているプログラムに従って各種の処理を実行する。具体的には、処理部１５は、信号処理部１１から出力された波形データＤｗに基づいて被測定信号Ｓｍの被測定量（例えば、電圧値）を測定する測定処理を実行する。また、処理部１５は、検出部として機能し、被測定信号Ｓｍの被測定量についてのイベントの発生を検出して、イベントデータＤｅを生成する。また、処理部１５は、信号処理部１１から出力された波形データＤｗやイベントデータＤｅを記憶部１３に記憶させると共に、波形データＤｗに基づく被測定信号Ｓｍの波形やイベントデータＤｅに基づくイベントの検出結果を含んだ測定結果画像Ｇｍを表示部１４に表示させる表示処理を実行する。
【００２７】
次に、測定装置１の使用方法について説明する。
【００２８】
この測定装置１は、例えば、図２に示す被測定信号Ｓｍ（一例として、交流電圧）の被測定量を任意の期間（例えば、数日から数ヶ月）測定する際に用いられる。このような測定を行う際には、操作部１２を操作して測定開始を指示する。この際に、操作部１２が操作信号を出力し、処理部１５が操作信号に従って測定用プログラムを記憶部１３から読み出し、読み出した測定用プログラムに従って測定処理を実行する。この測定処理では、信号処理部１１を制御して、入力した被測定信号Ｓｍをサンプリングして被測定信号Ｓｍの波形を示す波形データＤｗを出力する出力処理を実行させる。次いで、処理部１５は、信号処理部１１から出力された波形データＤｗを記憶部１３に記憶させる。
【００２９】
また、処理部１５は、波形データＤｗに基づいて被測定信号Ｓｍの被測定量（電圧値）を測定し、測定値の変化から、被測定量についてのディップ、スウェルおよび瞬停等のイベント（事象）が発生したか否かを監視し、これらのイベントを検出したときには、そのイベントの種類および発生日時の情報を含むイベントデータＤｅを生成して、記憶部１３に記憶させる。
【００３０】
この場合、被測定信号Ｓｍが交流電圧のときの「ディップ」は、図３に示すように、被測定量としての電圧値が短い時間ｔ１だけ降下する事象であり、「スウェル」は、図４に示すように、電圧値が短い時間ｔ１だけ上昇する事象であり、「瞬停」は、図５に示すように、被測定信号Ｓｍが短い時間ｔ１だけ停止して電圧値が一時的に０Ｖとなる事象である。
【００３１】
一方、測定装置１によって測定された被測定信号Ｓｍにおける被測定量の測定結果を表示させる際には、操作部１２を操作して、測定結果画像Ｇｍの表示を指示する。なお、この測定装置１では、処理部１５による測定処理が実行されている状態でも、測定処理が終了（または、停止）している状態でも、測定結果画像Ｇｍの指示を行うことが可能となっている。
【００３２】
続いて、処理部１５は、操作部１２から出力される操作信号に従って表示用プログラムを記憶部１３から読み出し、読み出した表示用プログラムに従って以下に説明する表示方法による表示処理を実行する。この表示処理では、処理部１５は、図６に示すように、測定処理を実行した日を含む日別の複数の領域Ａを月毎に時系列で配列したカレンダー画像Ｃを測定結果画像Ｇｍとして表示部１４に表示させる。この場合、カレンダー画像Ｃには、「年」および「月」を選択する選択部Ｂが設けられおり、操作部１２の操作（例えば、選択部Ｂの表示箇所に対向する表示部１４の表面の部位に対するタッチ操作や、ポインティングデバイスを用いた選択部Ｂに対するクリック操作）によってカレンダー画像Ｃの「年」および「月」を選択することが可能となっている。
【００３３】
また、処理部１５は、記憶部１３からイベントデータＤｅを読み出して、カレンダー画像Ｃにおける各領域Ａに対応する日において、イベントが発生したか否かを判別する。この際に、処理部１５は、イベントが発生していると判別したときには、そのイベントの種類および発生日時を特定する。次いで、処理部１５は、図６に示すように、イベントの種類を特定可能なマーク（標識）を、発生した日に対応する領域Ａ内に表示させる。なお、領域Ａ内に表示されたマークが、「事象を示す情報」に相当する。
【００３４】
この測定装置１では、一例として、イベントの種類を表す英字１文字を円で囲んだマークを採用している。具体的には、ディップを示すマークとして、「Ｄ」を円で囲んだマーク（図６参照：以下の説明において「ディップマークＭｄ」ともいう）を採用している。また、スウェルを示すマークとして、「Ｓ」を円で囲んだマーク（同図参照：以下の説明において「スウェルマークＭｓ」ともいう）を採用し、瞬停を示すマークとして、「Ｉ」を円で囲んだマーク（同図参照：以下の説明において「瞬停マークＭｉ」ともいう）を採用している。
【００３５】
また、処理部１５は、図６に示すように、領域Ａにおける左右方向（予め決められた方向）を時間軸として、イベントが発生した時刻に対応する時間軸上の位置にマークの中心が位置するようにマークを表示させる。この測定装置１では、同図に示すように、領域Ａの左端を午前０時とし、領域Ａの右端を午後２４時とする時間軸Ｔａを用いている。また、処理部１５は、同図に示すように、領域Ａの上下方向（時間軸Ｔａと直交する方向）においてイベント（マーク）の種類毎に表示位置を異ならせてマークを表示させる。
【００３６】
ここで、同日に数多くのイベントが発生したときには、１つの領域Ａ内に数多くのマークが表示されて、イベントの発生の時期やイベント（マーク）の種類を判別するのが困難となることがある。このため、処理部１５は、同種のイベントが同日に予め決められた回数（２以上の任意の数。一例として５回）以上発生したときには、図７に示すように、それらの同種のイベントの発生回数を特定可能な１つのマークを、各イベントに個別に対応する各マークに代えて表示させる。この測定装置１では、一例として、複数のディップの発生を示すマークとして、「Ｄ」と発生回数を示す数字（例えば、「６」）とを楕円で囲んだディップマークＭｄを採用している。また、複数のスウェルの発生を示すマークとして、「Ｓ」と発生回数を示す数字（例えば、「５」）とを楕円で囲んだスウェルマークＭｓを採用し、複数の瞬停の発生を示すマークとして、「Ｉ」と発生回数（例えば、「５」）を示す数字とを楕円で囲んだ瞬停マークＭｉを採用している。
【００３７】
この場合、処理部１５は、複数回のイベントの発生を示すマークを表示させる際には、例えば、複数回のイベントのうちの最初にイベントが発生した時刻に対応する時間軸Ｔａの位置にマークの左端部を位置させる。このような表示を行うことにより、少なくとも最初のイベントの発生時期を直感的に把握することができる。
【００３８】
この測定装置１では、上記したように、発生したイベントに対応するマークをカレンダー画像Ｃにおける領域Ａ内に表示させることで、どの日にどのような種類のイベントが発生したのかを一目で（直感的に）確認することが可能となっている。また、イベントに個別に対応するマークを、イベントが発生した時刻に対応する時間軸Ｔａ上の位置に表示させているため、イベントの発生時期を把握することが可能となっている。また、この測定装置１では、同種類のイベントが同日に５回数以上発生したときに、各イベントに個別に対応する各マークに代えて、各イベントの発生回数を特定可能な１つのマークを表示させるため、１つの領域Ａ内に数多くのマークが表示されてイベントの発生の時期や種類を判別するのが困難となる事態を防止することが可能となっている。
【００３９】
一方、カレンダー画像Ｃに表示されるマークからイベントが発生したことを確認したときに、その詳細な内容を被測定信号Ｓｍの波形から把握したいことがある。このような使用形態に対応するため、この測定装置１では、イベントの発生時刻前後の被測定信号Ｓｍの波形を表示する機能が備えられている。この機能を利用する際には、操作部１２の操作（例えば、表示部１４の表面に対するタッチ操作や、ポインティングデバイスを用いた操作）により、図８に示すように、波形の表示を希望するイベントに対応するマークを選択する。
【００４０】
続いて、処理部１５が、選択されたマークに対応するイベントの発生時刻を含む予め決められた時間ｔ２（任意の時間に規定することができるが、例えば、１００ｍＳ）分の波形データＤｗを記憶部１３から読み出す。次いで、処理部１５は、図８に示すように、波形データＤｗに基づく時間ｔ２分の波形を示す波形画像Ｇｗをカレンダー画像Ｃの上に重ね合わせて表示させる。
【００４１】
また、複数回のイベントの発生を示すマークの中から選択した１つマークに対応するイベントの発生時刻を含む波形を表示させるときには、図９に示すように、操作部１２の操作によって複数回のイベントの発生を示すマークを選択する。続いて、処理部１５が、選択されたマークに対応する複数回のイベントの発生時刻をイベントデータＤｅに基づいて特定し、同図に示すように、各イベントの発生時刻を一覧で示す一覧画像Ｇｔをカレンダー画像Ｃの上に重ね合わせて表示させる。次いで、図１０に示すように、一覧画像Ｇｔに一覧表示された各イベントの中から波形の表示を希望するイベントを操作部１２の操作によって選択する。続いて、処理部１５が、選択されたイベントの発生時刻を含む時間ｔ２分の波形データＤｗを読み出して、同図に示すように、波形データＤｗに基づく時間ｔ２分の波形を示す波形画像Ｇｗをカレンダー画像Ｃの上に重ね合わせて表示させる。
【００４２】
この測定装置１では、上記したように、マークを選択するだけで、そのマークに対応するイベントの発生時刻を含む時間ｔ２分の被測定信号Ｓｍの波形を示す波形画像Ｇｗを表示させるため、イベントが発生した時刻を含む発生前後における被測定信号Ｓｍの電圧値の変化を容易な操作で素早く確認することができる。
【００４３】
このように、この表示装置、測定装置１、表示方法およびプログラムによれば、イベントの種類を識別可能なマークをカレンダー画像Ｃにおけるイベントが発生した日に対応する領域Ａ内に表示させることにより、どの日にどのような種類のイベントが発生したのかを一目で容易に確認することができる。したがって、この表示装置、測定装置１、表示方法およびプログラムによれば、例えば、イベントの発生時期や発生頻度に基づく被測定信号Ｓｍの良否判定を容易に行うことができる。
【００４４】
また、この表示装置、測定装置１、表示方法およびプログラムによれば、領域Ａにおける左右方向を時間軸Ｔａとしてイベントが発生した時刻に対応する時間軸Ｔａ上の位置にマークを表示させることにより、１日のうちのどの時間帯にイベントが発生したかを容易に把握することができる。
【００４５】
また、この表示装置、測定装置１、表示方法およびプログラムによれば、領域Ａにおける上下方向（時間軸Ｔａと直交する方向）においてイベントの種類毎に表示位置を異ならせてマークを表示させることにより、上下方向の表示位置からイベントの種類を直感的に把握することができる。また、このように表示位置を異ならせることにより、同日に複数種類のイベントが発生したときに、そのことを直感的に把握することができる。
【００４６】
また、この表示装置、測定装置１、表示方法およびプログラムによれば、同種類のイベントが同日に５回（予め決められた回数）以上発生したときに、各イベントに個別に対応する各マークに代えて、各イベントの発生回数を特定可能な１つのマークを表示させることにより、１つの領域Ａ内に数多くのマークが表示されてイベントの発生の時期や種類を判別するのが困難となる事態を確実に防止しつつ、イベントの発生の種類や回数を確実に把握することができる。
【００４７】
また、この表示装置、測定装置１、表示方法およびプログラムによれば、マークを表示している状態においてマークを選択する操作がされたときに、選択されたマークについてのイベントが発生した時刻を含む予め決められた時間ｔ２分の被測定信号Ｓｍの波形を示す波形画像Ｇｗを表示させることにより、イベントが発生した時刻を含む発生前後における被測定信号Ｓｍの電圧値の変化を容易な操作で素早く確認することができるため、イベントの詳細な内容を電圧値の変化から把握する必要があるときの利便性を十分に高めることができる。
【００４８】
なお、表示装置、測定装置、表示方法およびプログラムは、上記の構成および方法に限定されない。例えば、各マークの形態は、上記した形態に限定されず、任意に変更することができる。一例として、イベントの種類毎に色や形状を変えたマークを採用することができる。また、複数回のイベントの発生を示すマークの形態については、回数を数字で表す形態に変えて、例えば、回数と同数の点で回数を表す形態のマークを採用することもできる。
【００４９】
また、イベント（事象）の一例としてのディップ、スウェルおよび瞬停を検出する例について上記したが、これら以外の各種のイベント（例えば、トランジェントやフリッカ）を検出する構成を採用することができる。
【００５０】
また、被測定信号Ｓｍとしての交流電圧における被測定量としての電圧値を測定する測定装置１に適用した例について上記したが、被測定信号Ｓｍや被測定量は、これに限定されず、直流電圧の電圧値、交流電流および直流電流の電流値、並びに電力値等の各種の被測定信号Ｓｍの被測定量を測定する測定装置に適用することができる。
【符号の説明】
【００５１】
１  測定装置
１１  信号処理部
１２  操作部
１３  記憶部
１４  表示部
１５  処理部
Ａ  領域
Ｃ  カレンダー画像
Ｄｅ  イベントデータ
Ｄｗ  波形データ
Ｍｄ  ディップマーク
Ｍｉ  瞬停マーク
Ｍｓ  スウェルマーク
Ｇｍ  測定結果画像
Ｇｗ  波形画像
Ｓｍ  被測定信号
ｔ２  時間
Ｔａ  時間軸
【図１】
0006605285.tif 000002
【図２】
0006605285.tif 000003
【図３】
0006605285.tif 000004
【図４】
0006605285.tif 000005
【図５】
0006605285.tif 000006
【図６】
0006605285.tif 000007
【図７】
0006605285.tif 000008
【図８】
0006605285.tif 000009
【図９】
0006605285.tif 000010
【図１０】
0006605285.tif 000011